(57)【要約】【課題】方向転換部を有する階段の側方に沿って備えられ、複数の手摺構成部材からなる手摺において、例えば高齢者や障がい者が、手に触れる継手の存在により手に力が入らなかったり、違和感を与えたりするのを防止し、手の平への情報を統一化して、身体をうまく方向転換できるようにする。【解決手段】複数の手摺構成部材５１、〜５７は、手の平を載せることが可能な平坦に形成された上面部を有し、且つ手で握ることが可能な幅を有していて、方向転換部に配置される手摺構成部材５３・５４と、その手摺構成部材に隣り合う手摺構成部材５４・５５とが、少なくとも手に触れる継手部材は用いずに連続的に設けられている。踊り場２を有する折り返し階段の外回りに沿って配置される外回り手摺５で、踊り場２の直角部分（両隅部）において、隣り合う手摺構成部材５３・５４（５４・５５）同士が水平部分の継目５８を介して連続的に設けられている。【選択図】図１
2018184704.tif 000002
【特許請求の範囲】
【請求項１】
方向転換部を有する階段の側方に沿って備えられ、複数の手摺構成部材からなる手摺であって、
前記複数の手摺構成部材は、手の平を載せることが可能な平坦に形成された上面部を有し、且つ手で握ることが可能な幅を有していて、前記方向転換部に配置される手摺構成部材と、その手摺構成部材に隣り合う手摺構成部材とが、少なくとも手に触れる継手部材は用いずに連続的に設けられていることを特徴とする階段手摺。
【請求項２】
請求項１に記載の階段手摺において、
前記階段は、複数の前記方向転換部による踊り場か回り部を有する折り返し階段若しくは回り階段、又は少なくとも上階部か下階部で一つの前記方向転換部による回り部を有する直階段で、
前記手摺は、前記折り返し階段若しくは前記回り階段、又は前記回り部を有する直階段の外回りに沿って配置される外回り手摺であることを特徴とする階段手摺。
【請求項３】
請求項２に記載の階段手摺において、
前記踊り場又は前記回り部の直角部分で、前記隣り合う手摺構成部材同士が水平部分で継目を介して前記連続的に設けられていることを特徴とする階段手摺。
【請求項４】
請求項２に記載の階段手摺において、
前記踊り場又は前記回り部と、当該踊り場又は回り部に連続する階段部との接続部分で、前記隣り合う手摺構成部材同士が水平部分で継目を介して前記連続的に設けられていることを特徴とする階段手摺。
【請求項５】
請求項３に記載の階段手摺において、
前記隣り合う手摺構成部材同士の前記継目は、一方の手摺構成部材の長さ方向の先端面と、他方の手摺構成部材の長さ方向に沿った側面とが近接して対向していることを特徴とする階段手摺。
【請求項６】
請求項５に記載の階段手摺において、
前記折り返し階段の前記踊り場、又は前記回り階段の前記回り部の複数の前記直角部分では、一方の手摺構成部材の長さ方向の先端面と、他方の手摺構成部材の長さ方向に沿った側面との前記近接して対向する前記継目が直交方向となっていることを特徴とする階段手摺。
【請求項７】
請求項４に記載の階段手摺において、
前記踊り場又は前記回り部と前記階段部との接続部分で、前記隣り合う手摺構成部材同士の前記継目は、両方の手摺構成部材の長さ方向の先端面が互いに近接して対向していることを特徴とする階段手摺。
【請求項８】
請求項１から７のいずれか一項に記載の階段手摺を備えることを特徴とする階段室。
【請求項９】
請求項８に記載の階段室において、
前記階段の側部に沿って壁との間に設けられる幅木を備え、
前記幅木は、上面が前記階段の段板の上面からの高さが５〜１５ｍｍに形成されていることを特徴とする階段室。
【請求項１０】
請求項９に記載の階段室において、
前記幅木は、前面が前記段板の段鼻からの突出長さが５〜１５ｍｍに形成されていることを特徴とする階段室。
【発明の詳細な説明】
【技術分野】
【０００１】
本発明は、階段の手摺と、その手摺を備える階段室に関する。
【背景技術】
【０００２】
折り返し階段や回り階段において、その外回りに沿って配置される外回り手摺（例えば特許文献１参照）が備えられており、踊り場又は回り部の隅部や、踊り場又は回り部に連続する階段部との接続部分では、隣り合う手摺構成部材の間に継手が設けられていた。
【先行技術文献】
【特許文献】
【０００３】
【特許文献１】特開２００３−３３６３７１号公報
【発明の概要】
【発明が解決しようとする課題】
【０００４】
例えば高齢者や障がい者が折り返し階段や回り階段を降りる際、手摺を使うが、踊り場または回り部の隅部において、手に触れる継手の存在により手に力が入らなかったり、違和感によって、身体を方向転換する挙動がうまくできなかったりすることがある。
なお、直角な一つの方向転換部による回り部を有するかね折り階段、又は少なくとも上階部か下階部で直角な一つの方向転換部による回り部を有する直階段等でも同様である。
【０００５】
本発明の課題は、方向転換部を有する階段の側方に沿って備えられ、複数の手摺構成部材からなる手摺において、例えば高齢者や障がい者が、手に触れる継手の存在により手に力が入らなかったり、違和感を与えたりするのを防止し、手の平への情報を統一化して、身体をうまく方向転換できるようにすることである。
【課題を解決するための手段】
【０００６】
以上の課題を解決するため、請求項１に記載の発明は、例えば図１から図３に示すように、
方向転換部２を有する階段の側方に沿って備えられ、複数の手摺構成部材５１・５２・５３・５４・５５・５６・５７からなる手摺５であって、
前記複数の手摺構成部材５１・５２・５３・５４・５５・５６・５７は、手の平を載せることが可能な平坦に形成された上面部を有し、且つ手で握ることが可能な幅を有していて、前記方向転換部に配置される手摺構成部材５３（５４）と、その手摺構成部材５３（５４）に隣り合う手摺構成部材５４（５５）とが、少なくとも手に触れる継手部材は用いずに連続的に設けられていることを特徴とする。
【０００７】
請求項１に記載の発明によれば、方向転換部２を有する階段の側方に沿って備えられる手摺５の複数の手摺構成部材５１・５２・５３・５４・５５・５６は、手の平を載せることが可能な平坦に形成された上面部を有し、且つ手で握ることが可能な幅を有しているので、階段において、手摺５の平坦な上面部に手の平を載せ、且つ手で握って昇降することができる。
そして、方向転換部２に配置される手摺構成部材５３（５４）と、その手摺構成部材５３（５４）に隣り合う手摺構成部材５４（５５）とが、少なくとも手に触れる継手部材は用いずに連続的に設けられているので、階段の方向転換部２において、例えば高齢者や障がい者が、手に触れる継手の存在により手に力が入らなかったり、違和感を与えたりすることなく、手の平への情報を統一化して、手摺５を握りながら身体をうまく方向転換することができる。
【０００８】
請求項２に記載の発明は、例えば図１から図３に示すように、
請求項１に記載の階段手摺において、
前記階段は、複数の前記方向転換部による踊り場２か回り部を有する折り返し階段若しくは回り階段、又は少なくとも上階部か下階部で一つの前記方向転換部による回り部を有する直階段で、
前記手摺は、前記折り返し階段若しくは前記回り階段、又は前記回り部を有する直階段の外回りに沿って配置される外回り手摺５であることを特徴とする。
【０００９】
請求項２に記載の発明によれば、複数の方向転換部による踊り場２か回り部を有する折り返し階段若しくは回り階段、又は少なくとも上階部か下階部で一つの方向転換部による回り部を有する直階段において、折り返し階段若しくは回り階段、又は回り部を有する直階段の外回りに沿って配置される外回り手摺５により、請求項１に記載の発明と同様、例えば高齢者や障がい者が手摺５を握りながら身体をうまく方向転換することができる。
【００１０】
請求項３に記載の発明は、例えば図１から図３に示すように、
請求項２に記載の階段手摺において、
前記踊り場２又は前記回り部の直角部分で、前記隣り合う手摺構成部材５３・５４・５５同士が水平部分で継目５８を介して前記連続的に設けられていることを特徴とする。
【００１１】
請求項３に記載の発明によれば、踊り場２又は回り部の直角部分において、隣り合う手摺構成部材５３・５４・５５同士が水平部分で継目５８を介して連続的に設けられているので、例えば高齢者や障がい者が手摺５の水平部分を握りながら身体をうまく方向転換することができる。
【００１２】
請求項４に記載の発明は、例えば図１及び図２に示すように、
請求項２に記載の階段手摺において、
前記踊り場２又は前記回り部と、当該踊り場２又は回り部に連続する階段部１（３）との接続部分で、前記隣り合う手摺構成部材５２・５３（５５・５６）同士が水平部分で継目５８を介して前記連続的に設けられていることを特徴とする。
【００１３】
請求項４に記載の発明によれば、踊り場２又は回り部と、当該踊り場２又は回り部に連続する階段部１（３）との接続部分において、隣り合う手摺構成部材５２・５３（５５・５６）同士が水平部分で継目５８を介して連続的に設けられているので、例えば高齢者や障がい者が手摺５の水平部分を握りながら身体をうまく昇り降りすることができる。
【００１４】
請求項５に記載の発明は、例えば図１から図３に示すように、
請求項３に記載の階段手摺において、
前記隣り合う手摺構成部材５３・５４（５４・５５）同士の継目５８は、一方の手摺構成部材５３（５４）の長さ方向の先端面と、他方の手摺構成部材５４（５５）の長さ方向に沿った側面とが近接して対向していることを特徴とする。
【００１５】
請求項５に記載の発明によれば、踊り場２又は回り部の直角部分において、隣り合う手摺構成部材５３・５４（５４・５５）同士で継目５８は、一方の手摺構成部材５３（５４）の長さ方向の先端面と、他方の手摺構成部材５４（５５）の長さ方向に沿った側面とが近接して対向しているので、例えば高齢者や障がい者が手摺構成部材５３・５４（５４・５５）の継目５８間の近接対向部分で、違和感を感じずに、手摺５を握りながら身体をうまく方向転換することができる。
【００１６】
請求項６に記載の発明は、例えば図１から図３に示すように、
請求項５に記載の階段手摺において、
前記折り返し階段の前記踊り場２、又は前記回り階段の前記回り部の複数の前記直角部分では、一方の手摺構成部材５３（５４）の長さ方向の先端面と、他方の手摺構成部材５４（５５）の長さ方向に沿った側面との前記近接して対向する前記継目５８が直交方向となっていることを特徴とする。
【００１７】
請求項６に記載の発明によれば、折り返し階段の踊り場２、又は回り階段の回り部の複数の直角部分において、一方の手摺構成部材５３（５４）の長さ方向の先端面と、他方の手摺構成部材５４（５５）の長さ方向に沿った側面との近接して対向する継目５８が直交方向となっているので、例えば高齢者や障がい者が、昇り方向及び降り方向のいずれに場合でも、最初の直角部分において、手摺構成部材５３・５４の継目５８間の近接対向部分で、違和感を感じずに、手摺５を握りながら身体をうまく方向転換することができる。
そして、次の直角部分においても、手摺構成部材５４・５５の継目５８間の近接対向部分で、違和感を感じずに、最初の直角部分と同様の継目５８の順番感触により、手摺５を握りながら身体をうまく方向転換することができる。
【００１８】
請求項７に記載の発明は、例えば図１及び図２に示すように、
請求項４に記載の階段手摺において、
前記踊り場２又は前記回り部と前記階段部１（３）との接続部分で、前記隣り合う手摺構成部材５２・５３（５５・５６）同士の前記継目５８は、両方の手摺構成部材５２・５３（５５・５６）の長さ方向の先端面が互いに近接して対向していることを特徴とする。
【００１９】
請求項７に記載の発明によれば、踊り場２又は回り部とそれに連続する階段部１（３）との接続部分において、隣り合う手摺構成部材５２・５３（５５・５６）同士の継目５８は、両方の手摺構成部材５２・５３（５５・５６）の長さ方向の先端面が互いに近接して対向しているので、例えば高齢者や障がい者が手摺５の水平部分を握りながら継目５８の近接対向部分で、違和感を感じずに、身体をうまく昇り降りすることができる。
【００２０】
請求項８に記載の発明は、例えば図１及び図２に示すように、
請求項１から７のいずれか一項に記載の階段手摺を備える階段室を特徴とする。
【００２１】
請求項８に記載の発明によれば、階段室において、請求項１から７の発明と同様、例えば高齢者や障がい者が手摺５を握りながら身体をうまく方向転換することができる等の作用効果が得られる。
【００２２】
請求項９に記載の発明は、例えば図１、図５及び図６に示すように、
請求項８に記載の階段室において、
前記階段の側部に沿って壁との間に設けられる幅木１３・２３・３３を備え、
前記幅木１３・２３・３３は、上面が前記階段の段板１１・２１・３１の上面から高さが５〜１５ｍｍに形成されていることを特徴とする。
【００２３】
請求項９に記載の発明によれば、階段の側部に沿って壁との間に設けられる幅木１３・２３・３３を備える階段室において、幅木１３・２３・３３は、上面が階段の段板１１・２１・３１の上面からの高さが５〜１５ｍｍに形成されているので、階段を降りる際に、その段板１１・２１・３１上面から高さ５〜１５ｍｍの幅木１３・２３・３３を見て、陰影や光の加減による段鼻位置の誤認を防止し、段鼻位置の視認性を向上して、踏み外したり、バランス崩すのを防止し、段板１１・２１・３１にうまく足を載せることができる。
【００２４】
請求項１０に記載の発明は、例えば図１、図５及び図６に示すように、
請求項９に記載の階段室において、
前記幅木１３・２３・３３は、前面が前記段板１１・２１・３１の段鼻からの突出長さが５〜１５ｍｍに形成されていることを特徴とする。
【００２５】
請求項１０に記載の発明によれば、階段室の幅木１３・２３・３３は、前面が段板１１・２１・３１の段鼻からの突出長さが５〜１５ｍｍに形成されているので、階段を降りる際に、その段鼻から突出長さ５〜１５ｍｍの幅木１３・２３・３３を見て、陰影や光の加減による段鼻位置の誤認を防止し、段鼻位置の視認性を向上して、踏み外したり、バランスを崩すのを防止し、段板１１・２１・３１にうまく足を載せることができる。
したがって、階段室の安全性が全体として高まる。
【発明の効果】
【００２６】
本発明によれば、方向転換部を有する階段の側方に沿って備えられ、複数の手摺構成部材からなる手摺において、例えば高齢者や障がい者が、手に触れる継手の存在により手に力が入らなかったり、違和感を与えたりするのを防止でき、手の平への情報を統一化して、手摺を握りながら身体をうまく方向転換することができる。
【図面の簡単な説明】
【００２７】
【図１】本発明に係る階段手摺を備える階段室の一例を示すもので、上階側から階段室を見た斜視図である。
【図２】図１の階段室の平面図である。
【図３】図２の矢印Ａで示した隅部の拡大図である。
【図４】図１の階段手摺の拡大縦断面図である。
【図５】図１の階段室の本発明に係る幅木部分を示す拡大斜視図である。
【図６】図５の本発明に係る幅木による作用を示すもので、段板部分の概略側面図である。
【図７】図６の段板と仮想線で示した足との関係を示す平面図である。
【図８】変形例の階段室の平面図で、手摺の水平及び傾斜も併せて示した図である。
【図９】従来の階段幅木を例示する概略側面図である。
【発明を実施するための形態】
【００２８】
以下、図面を参照して本発明の実施の形態について説明する。
（実施形態１）
図１及び図２は本発明に係る階段手摺を備える階段室の一例を示すもので、１は上階側階段部、２は踊り場、３は下階側階段部、４は内回り手摺、５は外回り手摺、６はブラケット、７は壁、８は窓、９は上階部のホールである。
【００２９】
図示のように、階段室の壁７に沿った上階側階段部１、踊り場２及び下階側階段部３から構成される折り返し階段において、上階部のホール９及び上階側階段部１の壁面７１・７２と反対側に沿って内回り手摺４が備えられて、上階部のホール９、上階側階段部１、踊り場２、下階側階段部３の壁面７１・７２・７３・７４・７５・７６及び図示しない下階部の壁面に沿って外回り手摺５が備えられている。
なお、踊り場２の突き当たりの壁面７４には、窓８が設けられていて、８１は窓枠である。
【００３０】
内回り手摺４及び外回り手摺５は、指先を添えてバランスを取るセンサーとしての手すり機能、万一の時しっかりつかむ手つかみ機能、手の土手で体重をささえる手ざさえ機能を具備する、例えば幅４０ｍｍ×厚さ３０ｍｍ程度で、特殊高すべり抵抗塗装が施されていて、上端部は水平部となっている。
また、内回り手摺４の内方に透明ガラス４１が組み込まれて、外回り手摺５は、壁７に脱着式のブラケット６で取り付けられ、端部が直角部５ａを壁面に当接させたＬ字形状による袖巻き込み防止仕様となっている。
【００３１】
さらに、上階部のホール９の床、上階側階段部１、踊り場２及び下階側階段部３の壁面７１・７２・７３・７４・７５・７６・７７に沿って幅木１３・２３・３３が設けられており、図示しない下階部の床の壁面に沿っても幅木が設けられている。
ここで、壁７の色が白に対し、階段の段板及び蹴込み板、手摺４・５、幅木１３・２３・３３、窓枠８１は全て同じ色（例えばブラックウォールナット等）となっている。
【００３２】
なお、図２において、上階部のホール９には、折り返し階段の上階側階段部１及び下階階段部３と直交方向の階段部９１が設けられている。この階段部９１も、下階部とのアクセス用で、その一側方には前記内回り手摺４を直交方向に延長した部分が位置し、他側方の壁面７９には前記外回り手摺５と同様の手摺９５が設けられている。
【００３３】
そして、外回り手摺５は、上階部のホール９の壁面７１に直角部５ａを当接させた水平な手摺構成部材５１、上階側階段部１の壁面７２に沿って傾斜した手摺構成部材５２、順に踊り場２の三方の壁面７３・７４・７５に沿った水平な手摺構成部材５３・５４・５５、下階側階段部３の壁面７６に沿って傾斜した手摺構成部材５６、及び下階部の壁面に直角部５ａを当接させた水平な図示しない手摺構成部材から構成されている。
これらの手摺構成部材５１・５２・５３・５４・５５・５６は、手の平を載せることが可能な平坦に形成された上面部を有し、且つ手で握ることが可能な幅（例えば４０ｍｍ）を有している。
【００３４】
特に、踊り場２の突き当たりの左右両側において、手摺構成部材５３・５４・５５は、各々の近接継目５８をそれぞれ介して連続的に設けられている。
すなわち、隣り合う手摺構成部材５３・５４・５５同士が、少なくとも手に触れる継手部材は用いずに、内部でダボ結合の継手で接続することで、近接して対向する近接継目５８において、スリット状の極小さな隙間が形成されている。
なお、他の手摺構成部材５１・５２・５３及び手摺構成部材５５・５６は、各々の連続継目５９でそれぞれ隙間なく連続している。
【００３５】
図３は図１の矢印Ａで示した左隅部を拡大したもので、図示のように、直角に隣り合う手摺構成部材５３・５４同士は、図示左側の手摺構成部材５３の長さ方向の図示上側の先端面と、図示上側の手摺構成部材５４の長さ方向に沿った図示左側端部の側面とが極小さな隙間の近接継目５８により対向している。
【００３６】
また、図１及び図２に示すように、踊り場２の右隅部においては、直角に隣り合う水平な手摺構成部材５４・５５同士は、図示上側の手摺構成部材５４の長さ方向の図示上側の先端面と、図示右側の手摺構成部材５５の長さ方向に沿った図示上側端部の側面とが極小さな隙間の近接継目５８により対向している。
【００３７】
このように、踊り場２の左右の方向転換部である両隅部では、左隅部の手摺構成部材５３・５４同士の近接継目５８と、右隅部の手摺構成部材５４・５５同士の近接継目５８とが互いに直交方向となっている。
【００３８】
図４は図１の階段室の外廻り手摺５を拡大して縦断面で示したもので、図示のように、外廻り手摺５（手摺構成部材５１・５２・５３・５４・５５・５６）は、幅４０ｍｍ程度の上下水平部で厚さ３０ｍｍ程度で上下左右の四隅部が斜め面取り部の断面形状であって、その下水平部の中央にブラケット６の上端垂直部６１が連結されている。
したがって、ブラケット６が邪魔になることなく、外廻り手摺５の下水平部を、図示したように、両側から手の指先でしっかりつかみこむことができる。
【００３９】
以上、実施形態の外回り手摺５によれば、その手摺構成部材５１・５２・５３・５４・５５・５６が、手の平を載せることが可能な平坦に形成された上面部を有し、且つ手で握ることが可能な幅を有しているため、折り返し階段において、例えば高齢者や障がい者が、外回り手摺５の平坦な上面部に手の平を載せ、且つ手で握って昇降することができる。
そして、踊り場２において、手摺構成部材５３・５４と、その手摺構成部材５３・５４に各々隣り合う手摺構成部材５４・５５とが、少なくとも手に触れる継手部材は用いずに連続的に設けられているため、踊り場２において、例えば高齢者や障がい者が、手に触れる継手の存在により手に力が入らなかったり、違和感を与えたりするのを防止し、手の平への情報を統一化して、外回り手摺５の水平部分を握りながら身体をうまく方向転換することができる。
【００４０】
さらに、踊り場２において、隣り合う手摺構成部材５３・５４同士、及び手摺構成部材５４・５５同士が、一方の手摺構成部材５３・５４の長さ方向の先端面と、他方の手摺構成部材５４・５５の長さ方向に沿った側面とが近接継目５８で対向しているため、例えば高齢者や障がい者が、手摺構成部材５３・５４又は手摺構成部材５４・５５の近接継目５８間の近接対向部分で、違和感を感じずに、外回り手摺５を握りながら身体をうまく方向転換することができる。
【００４１】
しかも、踊り場２の左右両隅部において、一方の手摺構成部材５３・５４の長さ方向の先端面と、他方の手摺構成部材５４・５５の長さ方向に沿った側面との近接して対向する近接継目５８が直交方向となっているため、例えば高齢者や障がい者が、昇り方向及び降り方向のいずれに場合でも、最初の隅部において、例えば手摺構成部材５３・５４の近接継目５８間の対向部分で、違和感を感じずに、外回り手摺５を握りながら身体をうまく方向転換することができる。
そして、次の隅部においても、例えば手摺構成部材５４・５５の近接継目５８間の対向部分で、違和感を感じずに、最初の隅部と同様の継目５８の順番感触により、外回り手摺５を握りながら身体をうまく方向転換することができる。
【００４２】
さらに、踊り場２と上階側階段部１及び下階側階段部３との接続部分において、各々隣り合う手摺構成部材５２・５３同士及び手摺構成部材５５・５６同士が水平部分で連続継目５９で連続しているため、例えば高齢者や障がい者が、外回り手摺５の水平部分を握りながら身体をうまく昇り降りすることができる。
【００４３】
しかも、踊り場２と上階側階段部１及び下階側階段部３との接続部分において、各々隣り合う手摺構成部材５２・５３同士及び手摺構成部材５５・５６同士は、両方の手摺構成部材５２・５３同士及び手摺構成部材５５・５６同士の長さ方向の先端面がそれぞれ互いに連続継目５９で連続しているため、例えば高齢者や障がい者が、外回り手摺５の水平部分を握りながら連続継目５９部分で、違和感を感じずに、身体をうまく昇り降りすることができる。
【００４４】
なお、内回り手摺４及び外回り手摺５は、実施形態の最適値の幅４０ｍｍ×厚さ３０ｍｍ程度に限らず、幅３５〜４５ｍｍ×厚さ２５〜３５ｍｍ程度の範囲であればよい。
【００４５】
（変形例）
以上の実施形態においては、直角な二つの方向転換部による踊り場を有する折り返し階段としたが、本発明はこれに限定されるものではなく、直角な二つの方向転換部による回り部を有する回り階段や、直角な一つの方向転換部による回り部を有するかね折り階段、又は少なくとも上階部か下階部で直角な一つの方向転換部による回り部を有する直階段等であってもよい。
また、手摺構成部材の素材及び寸法等も任意であり、その他、具体的な細部構造等についても適宜に変更可能であることは勿論である。
【００４６】
（階段幅木の従来例）
次に、階段幅木の従来例について説明する。
階段室においては、壁面の段板に沿って幅木が設けられている（例えば前記特許文献１参照）。
【００４７】
図９は従来の階段幅木を例示するもので、従来の階段幅木１０１は、段板１００からの高さ及び段鼻からの突出長さともに約６０ｍｍ前後であった。
このように、従来の階段幅木１０１だと、段板１００からの高さ及び段鼻からの突出長さともに約６０ｍｍ前後であったことから、階段を降りる際において、陰影や光の加減で段鼻の位置を見間違えてしまい、仮想線で示したように、段鼻位置の誤認で、例えば２３〜２７ｃｍ等の成人の足Ｆの母指球Ｆ１、及び不図示の小指が段鼻から前方に出て段板１００から足を踏み外したり、バランスを崩す場合があった。
【００４８】
そこで、本発明は、階段を降りる際において、幅木に対する陰影や光の加減による段鼻の位置の見間違えを防止して、段鼻位置の視認性を向上し、足を踏み外したり、バランスを崩すのを防止して、階段を安全に降りられるようにすることも課題としている。
【００４９】
（実施形態２）
図５は図１の階段室の本発明に係る幅木部分を拡大して示すもので、図示例では、下階側階段３において、壁面側に設けられる幅木３３は、段板３１の段鼻の視認性を向上した雑巾摺タイプで、上面が段板３１の上面からの高さが１０ｍｍで、前面が段鼻からの突出長さが１０ｍｍに形成されている。
【００５０】
このように、階段の幅木３３は、段板３１からの高さ１０ｍｍで、段鼻からの突出長さ１０ｍｍと、従来の６０ｍｍに比べて六分の一の十分に小さい寸法となっている。
【００５１】
図６は図５の本発明に係る幅木３３による作用を示すもので、階段を降りる際において、段板３１に、図示のように、例えば２３〜２７ｃｍ等の成人の足Ｆの母指球Ｆ１、かかとＦ３の二点が乗るとともに、図示しない小指Ｆ２も乗ると安定する。
【００５２】
すなわち、図７は図６の段板３１と仮想線で示した足Ｆとの関係を示すもので、図示のように、母指球Ｆ１、小指Ｆ２、かかとＦ３の三点が段板に乗ると安定する。
【００５３】
以上、実施形態２の階段幅木３３によれば、段板３１からの高さ１０ｍｍで、段鼻からの突出長さ１０ｍｍのため、階段を降りる際において、段板３１から高さ１０ｍｍで段鼻からの突出長さ１０ｍｍの幅木３３を見て、陰影や光の加減による段鼻位置の誤認を防止し、段鼻位置の視認性を向上して、踏み外したり、バランスを崩すのを防止し、段板３１にうまく足を載せることができる。
したがって、階段室の安全性が全体として高まる。
【００５４】
なお、幅木３３は、実施形態の最適値の高さ及び突出長１０ｍｍに限らず、段板３１の上面からの高さが５〜１５ｍｍで、段鼻からの突出長さが５〜１５ｍｍの範囲であればよい。
【００５５】
また、図１及び図５に示すように、踊り場２の下階側階段部３に沿った床板２１においても、下階側階段部３と同様、踊り場２の床板２１の上面からの高さ１０ｍｍで、その段鼻からの突出長さ１０ｍｍの幅木２３が設けられており、同様の作用効果が得られる。
【００５６】
さらに、上階側階段部１においても、図１に示すように、下階側階段部３と同様、段板１１の上面からの高さ１０ｍｍで、その段鼻からの突出長さ１０ｍｍの幅木１３が設けられており、同様の作用効果が得られる。
【００５７】
これらの幅木１３・２３についても、段板１２及び床板２１の上面からの高さ５〜１５ｍｍで、段鼻からの突出長さ５〜１５ｍｍの範囲であればよい。
【００５８】
（変形例の階段室）
図８は変形例の階段室を示すもので、図示例では、前述した実施形態１と左右の勝手が異なっており、階段室の壁７に沿った上階側階段部１、回り階段部１４、踊り場２及び下階側階段部３から構成される折り返し階段である。
この折り返し階段は、図示のように、上階部及び上階側階段部１の壁面７１・７２と反対側に沿って内回り手摺４が備えられて、上階部、上階側階段部１、回り階段部１４、踊り場２、下階側階段部３の壁面７１・７２・７３・７４・７５・７６及び図示しない下階部の壁面に沿って外回り手摺５が備えられている。
【００５９】
すなわち、回り階段部１４は、図示右側の上階側階段部１から直角に図示左側に向きを変える三枚の段板１５・１６・１７を経て踊り場２に連続し、図示左側の踊り場２に下階側階段部３が連続している。
【００６０】
そして、外回り手摺５は、上階部の図示右側の壁面７１に直角部５ａが当接した水平な手摺構成部材５１、上階側階段部１の壁面７２に沿って傾斜した手摺構成部材５２、回り階段部１４の図示右側の壁面７３に沿って傾斜した手摺構成部材５３、回り階段部１４及び踊り場２の突き当たりの壁面７４に沿って傾斜した手摺構成部材５４、踊り場２の図示左側の壁面７５に沿った水平な手摺構成部材５５、下階側階段部３の壁面７６に沿って傾斜した手摺構成部材５６、及び下階部の壁面に直角部５ａが当接した水平な図示しない手摺構成部材から構成されている。
【００６１】
そして、階段室の外側に水平及び傾斜も併せて示したように、上階側階段部１の壁面７２に沿った手摺構成部材５２は４５度傾斜し、回り階段部１４の図示右側の壁面７３に沿った手摺構成部材５３は３０度傾斜している。
また、回り階段部１４及び踊り場２の突き当たりの壁面７４に沿った手摺構成部材５４は３０度傾斜し、踊り場２の図示左側の壁面７５に沿った手摺構成部材５５は水平で、下階側階段部３の壁面７６に沿った手摺構成部材５６は４５度傾斜している。
【００６２】
特に、回り階段部１４及び踊り場２の突き当たりの左右両側において、手摺構成部材５３・５４・５５は、前述した実施形態と同様、各々の近接継目５８をそれぞれ介して連続的に設けられている。
なお、他の手摺構成部材５１・５２・５３及び手摺構成部材５５・５６は、前述した実施形態と同様、各々の連続継目５９でそれぞれ隙間なく連続している。
【００６３】
そして、回り階段部１４の図示右側の壁面７３に沿って３０度傾斜した手摺構成部材５３の図示上側端部は水平部５３ａとなっていて、回り階段部１４及び踊り場２の突き当たりの壁面７４に沿って３０度傾斜した手摺構成部材５４の図示右側端部も水平部５４ａとなっている。これらの手摺構成部材５３の図示上側端部の水平部５３ａと、手摺構成部材５４の図示右側端部の水平部５４ａとが、直交方向において、近接継目５８で対向している。
【００６４】
また、踊り場２の突き当たりの壁面７４に沿って３０度傾斜した手摺構成部材５４の図示左側端部も水平部５４ｂとなっている。この手摺構成部材５４の図示左側端部の水平部５４ｂと、踊り場２の図示左側の壁面７５に沿った水平な手摺構成部材５５の図示上側端部とが、直交方向において、近接継目５８で対向している。
【００６５】
以上のような構成の外回り手摺５を備える階段室であってもよい。
【００６６】
（他の変形例）
以上の階段幅木は、前述した階段手摺と同様、実施形態の折り返し階段の他、回り階段、回り部を有するかね折り階段や直階段に適用してもよい。
また、階段幅木の素材等も任意である。
【符号の説明】
【００６７】
１  上階側階段部
１１  段板
１３  幅木
１４  回り階段部
１５・１６・１７  段板
２  踊り場（方向転換部）
２１  床板
２３  幅木
３  下階側階段部
３１  段板
３３  幅木
４  内回り手摺
４１  透明ガラス
５  外回り手摺
５ａ  直角部
５１・５２・５３・５４・５５・５６  手摺構成部材
５３ａ・５４ａ・５４ｂ  水平部
５８  近接継目
５９  連続継目
６  ブラケット
６１  上端垂直部
７  壁
７１・７２・７３・７４・７５・７６・７７・７９  壁面
８  窓
８１  窓枠
９  ホール
９１  階段部
９５  手摺
Ｆ  足
Ｆ１  母指球
Ｆ２  小指
Ｆ３  かかと
【図１】
2018184704.tif 000003
【図２】
2018184704.tif 000004
【図３】
2018184704.tif 000005
【図４】
2018184704.tif 000006
【図５】
2018184704.tif 000007
【図６】
2018184704.tif 000008
【図７】
2018184704.tif 000009
【図８】
2018184704.tif 000010
【図９】
2018184704.tif 000011